(57)【特許請求の範囲】
【請求項１】
情報記録媒体に記録されている情報を再生する情報記録再生装置において、
前記情報記録媒体に記録されている再生可能回数を情報再生毎に減じ、再生可能回数が０の時は再生を禁止する再生可能回数処理部を設け、
前記再生可能回数を前記情報記録媒体に記録された情報を分割して各領域毎に設け、
全ての領域の再生可能回数が０の時は再生を禁止するようにしたことを特徴とする情報記録再生装置。
【請求項２】
前記情報記録媒体に記録されている再生可能時間を情報再生時間に応じて減じ、再生可能時間が０の時は再生を禁止する再生可能時間処理部を設けたことを特徴とする請求項１記載の情報記録再生装置。
【請求項３】
前記再生可能回数または前記再生可能時間が０になったとき前記情報記録媒体の記録を消去する記録情報消去部を設けたことを特徴とする請求項１または２記載の情報記録再生装置。
【請求項４】
前記再生可能回数処理部、前記再生可能時間処理部および前記記録情報消去部が前記情報記録媒体に記録されている再生プログラムを読出して動作するようにしたことを特徴とする請求項１，２または３記載の情報記録再生装置。
【請求項５】
情報を記録する情報記録媒体に、記録された情報を分割して各領域毎に、予め決められた再生可能回数が記録され、
情報記録媒体に記録されている情報を再生する領域毎に前記再生可能回数を減じ、全ての領域の再生可能回数が０の時には再生を禁止する再生プログラムが記録されていることを特徴とする情報記録媒体。
【請求項６】
情報記録媒体に予め決められた再生可能時間を記録させ、前記再生プログラムが情報記録媒体に記録されている情報を再生する毎に情報再生時間に応じて前記再生可能時間を減じ、再生可能時間が０の時には再生を禁止するようにしたことを特徴とする請求項５記載の情報記録媒体。
【請求項７】
前記再生プログラムが、前記再生可能回数または前記再生可能時間が０になったとき前記情報記録媒体の記録を消去するようにしたことを特徴とする請求項５または６記載の情報記録媒体。
【発明の詳細な説明】
【０００１】
【発明の属する技術分野】
本発明は情報を記録する情報記録媒体およびその再生装置に関する。
【０００２】
【従来の技術】
今日では、ＤＶＤのように、情報の記録容量が大なる情報記録媒体が開発され、例えば映画などの映像データを高品質で記録し、販売されている。
【０００３】
【発明が解決しようとする課題】
記録されている映画などの映像データは何度でも再生が可能である。
一般に購入した使用者は映画を３，４回以上は再生して見ることはなく、再生が何度でも可能なことから他人に貸与し、他人が再生を行うことで著作権が侵害されてしまう。
【０００４】
本発明は著作権を保護するようにした情報記録媒体およびその再生装置を提供することを課題とする。
【０００５】
【課題を解決するための手段】
請求項１の発明においては、情報記録媒体に記録されている情報を再生する情報記録再生装置において、
前記情報記録媒体に記録されている再生可能回数を情報再生毎に減じ、再生可能回数が０の時は再生を禁止する再生可能回数処理部を設け、
前記再生可能回数を前記情報記録媒体に記録された情報を分割して各領域毎に設け、
全ての領域の再生可能回数が０の時は再生を禁止する。
【０００７】
請求項２の発明においては、前記情報記録媒体に記録されている再生可能時間を情報再生時間に応じて減じ、再生可能時間が０の時は再生を禁止する再生可能時間処理部を設ける。
【０００８】
請求項３の発明においては、前記再生可能回数または前記再生可能時間が０になったとき前記情報記録媒体の記録を消去する記録情報消去部を設ける。
請求項４の発明においては、前記再生可能回数処理部、前記再生可能時間処理部および前記記録情報消去部が前記情報記録媒体に記録されている再生プログラムを読出して動作する。
【０００９】
請求項５の発明においては、情報を記録する情報記録媒体に、記録された情報を分割して各領域毎に、予め決められた再生可能回数が記録され、情報記録媒体に記録されている情報を再生する領域毎に前記再生可能回数を減じ、全ての領域の再生可能回数が０の時には再生を禁止する再生プログラムが記録されている。
【００１１】
請求項６の発明においては、情報記録媒体に予め決められた再生可能時間を記録させ、前記再生プログラムが情報記録媒体に記録されている情報を再生する毎に情報再生時間に応じて前記再生可能時間を減じ、再生可能時間が０の時には再生を禁止する。
【００１２】
請求項７の発明においては、前記再生プログラムが、前記再生可能回数または前記再生可能時間が０になったとき前記情報記録媒体の記録を消去する。
【００１３】
【発明の実施の形態】
本発明の実施の形態を図１および図２を参照して説明する。図１は情報記録再生装置の本発明に係る実施例の構成図、図２は本発明の情報記録媒体の実施例の説明図である。
【００１４】
図１は本発明に係る部分のみを示しており、１は再生可能回数処理部、２は再生可能時間処理部、３は記録情報消去部、４は制御部、５および６はインタフェース（Ｉ／Ｏ）、７は処理を実行するプロセッサである。
【００１５】
Ｉ／Ｏ５は図示しない情報記録再生装置本体の情報の書込・読出を行う書込・読出部と接続される。
またＩ／Ｏ６は図示しない情報記録再生装置本体の記録・再生を行わせる記録・再生部と接続されている。
【００１６】
また図２において、１０はＤＶＤ等の情報記録媒体である。
１１は情報記録媒体１０に記録されている記録情報、１２は後で説明する再生プログラム、１３は再生可能回数、１４は再生可能時間である。
再生可能回数１３には予め再生を制限する回数が記録され、また再生可能時間１４には予め再生を制限する時間が記録されている。
【００１７】
つぎに、図３を参照して、本発明の第１の実施例の動作を説明する。
Ｉ／Ｏ６より再生動作の指令が入力されると動作が開始される。
ステップＳ１では、制御部４は、Ｉ／Ｏ５を介して、図２で説明した再生プログラム１２を読出して再生可能回数処理部１に記録する。
【００１８】
ステップＳ２では、再生可能回数処理部１は、Ｉ／Ｏ５を介して、図２で説明した再生可能回数１３を読出してステップＳ３に移る。
ステップＳ３では、再生可能回数処理部１は、読出した再生可能回数が０であるか否かを判定し、判定がＹＥＳの場合はステップＳ４に移ってＩ／Ｏ６を介して再生禁止を指令して処理を終了する。
【００１９】
またステップＳ３の判定がＮＯの場合はステップＳ５に移り、Ｉ／Ｏ６を介して再生を指令し、ステップＳ６に移ってＩ／Ｏ６を介して再生終了が転送されるまで待機する。
【００２０】
再生終了が転送されるとステップＳ７に移り、再生可能回数を減じてステップＳ８に移り、Ｉ／Ｏ５を介して図２で説明した情報記録媒体１０の再生可能回数１３に記録し、処理を終了する。
【００２１】
つぎに、図４を参照して、本発明の第２の実施例の動作を説明する。
第１の実施例では最初から最後まで再生せずに途中で中断しても再生可能回数が減り、全てを再生する前に再生禁止となる、という問題がある。
そこで、第２の実施例では、図２で説明した記録情報１１を複数に分割し、分割した領域毎に再生可能回数１３を設けるようにしている。
【００２２】
第２の実施例は図４に示されるように、図３で説明した第１の実施例のステップＳ３に代えてステップＳ１０が、ステップＳ７に代えてステップＳ１１が実行される。
すなわち、ステップＳ１０では、ステップＳ２で読出した再生可能回数が領域の全てが０であるか否かを判定し、判定がＹＥＳの場合はステップＳ４に移って再生を禁止する。
【００２３】
またステップＳ６で再生が終了した場合はステップＳ１１に移り、ステップＳ１１ではステップＳ５で再生した領域に対する再生可能回数を減じてステップＳ８に移り、更新した再生可能回数を情報記録媒体１０に記録する。
【００２４】
つぎに、図５を参照して、本発明の第３の実施例の動作を説明する。
第２の実施例では再生可能回数が一部の領域で０とならないときは再生が禁止されないという問題がある。第３の実施例はこの問題を解決するようにしたものである。
【００２５】
第３の実施例は図５に示されるように、図４で説明した第２の実施例のステップＳ１０とＳ５の間にステップＳ２０およびＳ２１が挿入され、またステップＳ８に代えてステップＳ２２およびＳ２３が実行される。
【００２６】
すなわち、ステップＳ１０で全再生可能回数が０でない場合はステップＳ２０に移り、ステップＳ２０では、再生可能時間処理部２は、情報記録媒体１０より再生可能時間４を読出し、ステップＳ２１に移る。
【００２７】
ステップＳ２１では、再生可能時間処理部２は、読出した再生可能時間が０であるか否かを判定し、判定がＹＥＳの場合はステップＳ４に移って再生を禁止させる。また判定がＮＯの場合はステップＳ５に移って再生を開始させる。
【００２８】
また再生が終了すると、ステップＳ２２では、再生可能時間処理部２は、ステップＳ５で再生した時間を再生可能時間より減じ、ステップＳ２３に移って、更新した再生可能回数および再生可能時間を情報記録媒体１０に記録して処理を終了する。
【００２９】
なお実施例では再生可能回数または再生可能時間が０になったときステップＳ４に移って再生を禁止させるようにしていたが、図１に示す記録情報消去部３が情報記録媒体１０に記録されている情報を消去させるようにしてもよい。
この場合の消去する情報としては記録情報１１を消去するか又は再生プログラム１２を消去して再生を禁止するようにしてもよい。
【００３０】
【発明の効果】
以上説明したように、本発明によれば、再生可能回数を情報を再生する毎に減じ、再生可能回数が０になった時は再生を禁止するようにしたので、著作権を保護することができる。
【図面の簡単な説明】
【図１】情報記録再生装置の本発明に係る実施例の構成図である。
【図２】本発明の情報記録媒体の実施例の説明図である。
【図３】本発明の第１の実施例の動作フローチャートである。
【図４】本発明の第２の実施例の動作フローチャートである。
【図５】本発明の第３の実施例の動作フローチャートである。
【符号の説明】
１        再生可能回数処理部
２        再生可能時間処理部
３        記録情報消去部
４        制御部
５，６    インタフェース（Ｉ／Ｏ）
７        プロセッサ（ＣＰＵ）
１０      情報記録媒体
１１      記録情報
１２      再生プログラム
１３      再生可能回数
１４      再生可能時間
【図１】
0003884608.tif 000002
【図２】
0003884608.tif 000003
【図３】
0003884608.tif 000004
【図４】
0003884608.tif 000005
【図５】
0003884608.tif 000006